(57)【特許請求の範囲】
【請求項１】
超音波通信可能な第一携帯端末及び第二携帯端末とネットワーク通信可能なサーバと、上記第一携帯端末及び第二携帯端末と通信可能な超音波送信装置とを備える情報交換システムであって、
上記サーバが、
上記第一携帯端末からの要求に基づいて第一携帯端末の個体識別情報を記憶する第一の個体識別情報記憶手段と、
上記第一携帯端末からの要求に基づいて第一携帯端末の第一ユーザのプロフィール情報を上記第一の個体識別情報記憶手段に記憶された第一携帯端末の個体識別情報に関連付けて記憶する第一のプロフィール情報記憶手段と、
第二携帯端末の個体識別情報を記憶する第二の個体識別情報記憶手段と、
上記第一携帯端末から超音波信号により発信され上記第二携帯端末によって受信された第一携帯端末の個体識別情報に基づいて、上記第一のプロフィール情報記憶手段によって第一携帯端末の個体識別情報と関連付けられた第一ユーザのプロフィール情報を第二携帯端末の第二ユーザに閲覧させるためのプロフィール交換データを作成する第一のプロフィール交換データ作成手段と、
上記第一のプロフィール交換データ作成手段に作成されたプロフィール交換データに基づいて、第一ユーザのプロフィール情報を第二携帯端末に表示する第一のプロフィール情報表示手段と、
上記第一携帯端末及び超音波送信装置の通信に基づいて第一携帯端末の個体識別情報と超音波送信装置の個体識別情報とを関連付けて記憶する超音波送信装置登録手段と、
上記超音波送信装置から超音波信号により発信され上記第二携帯端末によって受信された超音波送信装置の個体識別情報に基づいて、上記第一のプロフィール情報記憶手段及び上記超音波送信装置登録手段によって超音波送信装置の個体識別情報と関連付けられた第一ユーザのプロフィール情報を第二携帯端末の第二ユーザに閲覧させるためのプロフィール交換データを作成する第二のプロフィール交換データ作成手段と、
上記第二のプロフィール交換データ作成手段に作成されたプロフィール交換データに基づいて、第一ユーザのプロフィール情報を第二携帯端末に表示する第二のプロフィール情報表示手段と
を備える情報交換システム。
【請求項２】
上記超音波送信装置が、送信される超音波の出力及び進行方向を制御する超音波制御手段を有する請求項１に記載の情報交換システム。
【請求項３】
上記超音波送信装置が据置装置である請求項１又は請求項２に記載の情報交換システム。
【請求項４】
上記サーバが、上記第一のプロフィール情報記憶手段によって第一携帯端末の個体識別情報と関連付けられた第一ユーザのプロフィール情報に基づく第一ユーザの名刺データを作成する名刺データ作成手段を有し、
上記第一のプロフィール情報表示手段が、第二携帯端末に第一ユーザのプロフィール情報として上記名刺データ作成手段によって作成された名刺データを表示する請求項１、請求項２又は請求項３に記載の情報交換システム。
【請求項５】
複数の第二携帯端末を備え、
上記名刺データ作成手段が、第二携帯端末の第二ユーザに対応して作成する名刺データを変更する請求項４に記載の情報交換システム。
【請求項６】
上記サーバが、上記第二携帯端末からの要求に基づいて第二携帯端末の第二ユーザのプロフィール情報を上記第二の個体識別情報記憶手段に記憶された第二携帯端末の個体識別情報と関連付けて記憶する第二のプロフィール情報記憶手段と、
上記第二携帯端末から超音波信号により発信され上記第一携帯端末によって受信された第二携帯端末の個体識別情報に基づいて、上記第二のプロフィール情報記憶手段によって第二携帯端末の個体識別情報と関連付けられた第二ユーザのプロフィール情報を第一携帯端末の第一ユーザに閲覧させるためのプロフィール交換データを作成する第二のプロフィール交換データ作成手段と、
上記第二のプロフィール交換データ作成手段に作成されたプロフィール交換データに基づいて、第二ユーザのプロフィール情報を第一携帯端末に表示する第三のプロフィール情報表示手段とを有する請求項１から請求項５のいずれか１項に記載の情報交換システム。
【請求項７】
上記サーバが、上記第一携帯端末の入力及び送信操作に起因して、上記第二携帯端末に表示される第一ユーザのプロフィール情報を更新するプロフィール情報更新手段を有する請求項１から請求項６のいずれか１項に記載の情報交換システム。
【請求項８】
上記サーバが、上記第一のプロフィール情報表示手段によって第一ユーザのプロフィール情報が表示された第二携帯端末の入力及び送信操作に起因して、上記第一ユーザのプロフィール情報にコメントを追加するコメント追加手段を有する請求項１から請求項７のいずれか１項に記載の情報交換システム。
【請求項９】
上記サーバが、上記コメント追加手段によって追加されたコメントの閲覧を第二ユーザのみに制限する閲覧制限手段を有する請求項８に記載の情報交換システム。
【請求項１０】
超音波通信可能な第一携帯端末及び第二携帯端末と、上記第一携帯端末及び第二携帯端末とネットワーク通信可能なサーバと、上記第一携帯端末及び第二携帯端末と通信可能な超音波送信装置とを用いた情報交換方法であって、
上記サーバが、
上記第一携帯端末からの要求に基づいて第一携帯端末の個体識別情報を記憶する第一の個体識別情報記憶ステップと、
上記第一携帯端末からの要求に基づいて第一携帯端末の第一ユーザのプロフィール情報を上記第一の個体識別情報記憶ステップで記憶された第一携帯端末の個体識別情報に関連付けて記憶する第一のプロフィール情報記憶ステップと、
第二携帯端末の個体識別情報を記憶する第二の個体識別情報記憶ステップと、
上記第一携帯端末から超音波信号により発信され上記第二携帯端末によって受信された第一携帯端末の個体識別情報に基づいて、上記第一のプロフィール情報記憶ステップによって第一携帯端末の個体識別情報と関連付けられた第一ユーザのプロフィール情報を第二携帯端末の第二ユーザに閲覧させるためのプロフィール交換データを作成する第一のプロフィール交換データ作成ステップと、
上記第一のプロフィール交換データ作成ステップで作成されたプロフィール交換データに基づいて、第一ユーザのプロフィール情報を第二携帯端末に表示する第一のプロフィール情報表示ステップと、
上記第一携帯端末及び超音波送信装置の通信に基づいて第一携帯端末の個体識別情報と超音波送信装置の個体識別情報とを関連付けて記憶する超音波送信装置登録ステップと、
上記超音波送信装置から超音波信号により発信され上記第二携帯端末によって受信された超音波送信装置の個体識別情報に基づいて、上記第一のプロフィール情報記憶ステップ及び上記超音波送信装置登録ステップによって超音波送信装置の個体識別情報と関連付けられた第一ユーザのプロフィール情報を第二携帯端末の第二ユーザに閲覧させるためのプロフィール交換データを作成する第二のプロフィール交換データ作成ステップと、
上記第二のプロフィール交換データ作成ステップに作成されたプロフィール交換データに基づいて、第一ユーザのプロフィール情報を第二携帯端末に表示する第二のプロフィール情報表示ステップと
を備える情報交換方法。
【請求項１１】
超音波通信可能な第一携帯端末及び第二携帯端末と、上記第一携帯端末及び第二携帯端末とネットワーク通信可能なサーバと、上記第一携帯端末及び第二携帯端末と通信可能な超音波送信装置とを用いた情報交換方法をコンピュータに実行させるためのプログラムであって、
上記サーバを
上記第一携帯端末からの要求に基づいて第一携帯端末の個体識別情報を記憶する第一の個体識別情報記憶手段と、
上記第一携帯端末からの要求に基づいて第一携帯端末の第一ユーザのプロフィール情報を上記第一の個体識別情報記憶手段に記憶された第一携帯端末の個体識別情報に関連付けて記憶する第一のプロフィール情報記憶手段と、
第二携帯端末の個体識別情報を記憶する第二の個体識別情報記憶手段と、
上記第一携帯端末から超音波信号により発信され上記第二携帯端末によって受信された第一携帯端末の個体識別情報に基づいて、上記第一のプロフィール情報記憶手段によって第一携帯端末の個体識別情報と関連付けられた第一ユーザのプロフィール情報を第二携帯端末の第二ユーザに閲覧させるためのプロフィール交換データを作成する第一のプロフィール交換データ作成手段と、
上記第一のプロフィール交換データ作成手段に作成されたプロフィール交換データに基づいて、第一ユーザのプロフィール情報を第二携帯端末に表示する第一のプロフィール情報表示手段と、
上記第一携帯端末及び超音波送信装置の通信に基づいて第一携帯端末の個体識別情報と超音波送信装置の個体識別情報とを関連付けて記憶する超音波送信装置登録手段と、
上記超音波送信装置から超音波信号により発信され上記第二携帯端末によって受信された超音波送信装置の個体識別情報に基づいて、上記第一のプロフィール情報記憶手段及び上記超音波送信装置登録手段によって超音波送信装置の個体識別情報と関連付けられた第一ユーザのプロフィール情報を第二携帯端末の第二ユーザに閲覧させるためのプロフィール交換データを作成する第二のプロフィール交換データ作成手段と、
上記第二のプロフィール交換データ作成手段に作成されたプロフィール交換データに基づいて、第一ユーザのプロフィール情報を第二携帯端末に表示する第二のプロフィール情報表示手段と
して機能させるためのプログラム。
【発明の詳細な説明】
【技術分野】
【０００１】
本発明は、情報交換システム、情報交換方法及びプログラムに関する。
【背景技術】
【０００２】
従来、ビジネスやプライベートの場において、初対面の相手に個人情報を紹介する方法として名刺交換が行われている。
【０００３】
このような名刺は、一般的には紙製で、縦５．５ｃｍ、横９．０ｃｍ程度に形成されており、廃棄しない限り増加していく。それゆえ、名刺の受取人は、名刺数の増加に伴い保管スペースも必要となり、また名刺を紛失するおそれも高くなる。さらに、このような名刺は、所持枚数の増加にしたがい所望の名刺を見つけ出す手間も増大する。
【０００４】
また、このような名刺によると、各人は、常時数枚の名刺を財布や名刺入れに収納して持ち運び、名刺交換の際にいつでも取り出せるようにしておく必要がある。
【０００５】
しかしながら、財布や名刺入れに収納できる名刺数は限られているため、必要なときに名刺が不足するおそれがある。また、名刺は通常紙製であるため、名刺作成後に本人の住所や役職等が変更になった場合に名刺の内容を自由に更新することができない。その結果、現状に合わず使用できない名刺が大量に発生し、コスト面における損失を生じ、また環境面における負荷も増大する。
【０００６】
このような問題を解決するため、今日では、例えば名刺データ交換システム、名刺データ交換装置および名刺データ交換方法（特開２０１１−１９２１９５号公報参照）が発案されている。この名刺データ交換システムによると、各ユーザが携帯端末を用いて名刺データを交換することができる。それゆえ、この名刺データ交換システムによると、常時紙製の名刺を持ち運ぶ必要がなく、また名刺をデータで受け取るため、受け取った名刺を紛失するおそれも低減される。
【０００７】
しかしながら、この名刺データ交換システムは、（１）名刺データをＲＦＩＤ通信で送信するか、（２）名刺データのアドレスをメールで送信するか、或いは（３）名刺データのアドレスのＱＲコードを提示することに基づいて名刺データを交換するものである。それゆえ、この名刺データ交換システムは、（１）ＲＦＩＤ通信する場合には特定のハードウェアが必要とされ、汎用性に欠けるという問題を抱えている。また、この名刺データ交換システムは、（２）名刺データのアドレスをメールで送信する場合、通常初対面の相手のメールアドレスは知らないことが多いため、メールアドレスの交換から始める必要があり、さらに（３）名刺データのアドレスのＱＲコードを提示する場合、このＱＲコードをカメラで撮影し、ＱＲコードを取得したうえで特定のＵＲＬをクリックする必要があり、いずれも従来の紙製の名刺による名刺交換に比べて著しく時間がかかり作業性に劣るという問題を抱えている。
【先行技術文献】
【特許文献】
【０００８】
【特許文献１】特開２０１１−１９２１９５号公報
【発明の概要】
【発明が解決しようとする課題】
【０００９】
本発明は、このような事情に鑑みてなされたものであり、特定のハードウェアに依存せず、かつスムーズに名刺交換を行うことができるとともに、名刺の不足、紛失及び保管スペースの増加等を防止することができる情報交換システム、情報交換方法及びプログラムの提供を目的とするものである。
【課題を解決するための手段】
【００１０】
上記課題を解決するためになされた本発明に係る情報交換システムは、
超音波通信可能な第一携帯端末及び第二携帯端末とネットワーク通信可能なサーバを備える情報交換システムであって、
上記サーバが、
上記第一携帯端末からの要求に基づいて第一携帯端末の個体識別情報を記憶する第一の個体識別情報記憶手段と、
上記第一携帯端末からの要求に基づいて第一携帯端末の第一ユーザのプロフィール情報を上記第一の個体識別情報記憶手段に記憶された第一携帯端末の個体識別情報に関連付けて記憶する第一のプロフィール情報記憶手段と、
第二携帯端末の個体識別情報を記憶する第二の個体識別情報記憶手段と、
上記第一携帯端末から超音波信号により発信され上記第二携帯端末によって受信された第一携帯端末の個体識別情報に基づいて、上記第一のプロフィール情報記憶手段によって第一携帯端末の個体識別情報と関連付けられた第一ユーザのプロフィール情報を第二携帯端末の第二ユーザに閲覧させるためのプロフィール交換データを作成する第一のプロフィール交換データ作成手段と、
上記第一のプロフィール交換データ作成手段に作成されたプロフィール交換データに基づいて、第一ユーザのプロフィール情報を第二携帯端末に表示する第一のプロフィール情報表示手段と
を備えている。
【００１１】
当該情報交換システムは、第一携帯端末と第二携帯端末との超音波通信に基づいて第一ユーザのプロフィール情報を第二携帯端末に表示することができる。当該情報交換システムは、例えば第一携帯端末及び第二携帯端末が専用のアプリケーションをインストールすることで、第一ユーザのプロフィール情報を第二携帯端末に表示することができる。従って、当該情報交換システムは、特定のハードウェアに依存せず、かつスムーズにプロフィール情報を交換することができる。また、当該情報交換システムは、サーバが特定のプロフィール交換データを作成することによって第一ユーザのプロフィール情報を第二ユーザに閲覧させるものであるため、プロフィール情報提供者が特定の名刺等を携帯しておく必要がない。それゆえ、当該情報交換システムによれば、名刺不足等のためにプロフィール交換の機会を失することが防止されるとともに、名刺の保管スペースの増大も防止することができる。さらに、当該情報交換システムによれば、名刺を作成及び増刷する必要がないため、名刺作成にかかるコストを抑制することができる。
【００１２】
当該情報交換システムは、上記第一携帯端末及び第二携帯端末と通信可能な超音波送信装置をさらに備え、上記サーバが、上記第一携帯端末及び超音波送信装置の通信に基づいて第一携帯端末の個体識別情報と超音波送信装置の個体識別情報とを関連付けて記憶する超音波送信装置登録手段と、上記超音波送信装置から超音波信号により発信され上記第二携帯端末によって受信された超音波送信装置の個体識別情報に基づいて、上記第一のプロフィール情報記憶手段及び上記超音波送信装置登録手段によって超音波送信装置の個体識別情報と関連付けられた第一ユーザのプロフィール情報を第二携帯端末の第二ユーザに閲覧させるためのプロフィール交換データを作成する第二のプロフィール交換データ作成手段と、上記第二のプロフィール交換データ作成手段に作成されたプロフィール交換データに基づいて、第一ユーザのプロフィール情報を第二携帯端末に表示する第二のプロフィール情報表示手段とを有するとよい。これにより、上記超音波送信装置を用いて第一ユーザのプロフィール情報を第二ユーザに閲覧させることができ、プロフィール情報交換を効率的に行うことができる。
【００１３】
当該情報交換システムは、上記超音波送信装置が、送信される超音波の出力及び進行方向を制御する超音波制御手段を有するとよい。これにより、プロフィール情報を交換したい相手と容易かつ確実にプロフィール情報交換を行うことができる。また、当該情報交換システムは、超音波送信装置から送信される超音波の出力及び進行方向を制御することによって、プロフィール情報交換時にプロフィール情報が第三者に漏洩することを防止することができる。
【００１４】
上記超音波送信装置が据置装置であるとよい。これにより、超音波送信装置を所定の場所に設置しておき、その場に入場する相手に対して確実にプロフィール情報を送信することができる。当該情報交換システムは、例えば上記超音波送信装置を飲食店等の入口付近に設置しておき、この飲食店に入ってきた客に対して飲食店の広告等を提供したり、上記超音波送信装置を講演会場に設置しておき、視聴者に対して講演者の情報を提供したりすることができる。
【００１５】
当該情報交換システムは、上記サーバが、上記第一のプロフィール情報記憶手段によって第一携帯端末の個体識別情報と関連付けられた第一ユーザのプロフィール情報に基づく第一ユーザの名刺データを作成する名刺データ作成手段を有し、上記第一のプロフィール情報表示手段が、第二携帯端末に第一ユーザのプロフィール情報として上記名刺データ作成手段によって作成された名刺データを表示するとよい。これにより、第二携帯端末に第一ユーザの名刺情報を好適に表示することができる。当該情報交換システムは、例えば上記名刺データを従来の紙製名刺と同じようなレイアウトに構成することで、ビジネス、プライベート等を問わず好適に名刺情報を交換することができる。
【００１６】
当該情報交換システムは、複数の第二携帯端末を備え、上記名刺データ作成手段が、第二携帯端末の第二ユーザに対応して作成する名刺データを変更するとよい。これにより、プロフィール情報を交換した相手に応じた名刺情報を提供することができる。
【００１７】
当該情報交換システムは、上記サーバが、上記第二携帯端末からの要求に基づいて第二携帯端末の第二ユーザのプロフィール情報を上記第二の個体識別情報記憶手段に記憶された第二携帯端末の個体識別情報と関連付けて記憶する第二のプロフィール情報記憶手段と、上記第二携帯端末から超音波信号により発信され上記第一携帯端末によって受信された第二携帯端末の個体識別情報に基づいて、上記第二のプロフィール情報記憶手段によって第二携帯端末の個体識別情報と関連付けられた第二ユーザのプロフィール情報を第一携帯端末の第一ユーザに閲覧させるためのプロフィール交換データを作成する第二のプロフィール交換データ作成手段と、上記第二のプロフィール交換データ作成手段に作成されたプロフィール交換データに基づいて、第二ユーザのプロフィール情報を第一携帯端末に表示する第三のプロフィール情報表示手段とを有するとよい。これにより、第一ユーザと第二ユーザとの間で相互に容易かつ確実にプロフィール情報を交換することができる。
【００１８】
当該情報交換システムは、上記サーバが、上記第一携帯端末の入力及び送信操作に起因して、上記第二携帯端末に表示される第一ユーザのプロフィール情報を更新するプロフィール情報更新手段を有するとよい。これにより、第一ユーザの住所、役職等のプロフィールが変更された場合でも、第一ユーザがプロフィール情報を更新することによって、第二携帯端末に表示される第一ユーザのプロフィール情報を最新の状態に保つことができる。
【００１９】
当該情報交換システムは、上記サーバが、上記第一のプロフィール情報表示手段によって第一ユーザのプロフィール情報が表示された第二携帯端末の入力及び送信操作に起因して、上記第一ユーザのプロフィール情報にコメントを追加するコメント追加手段を有するとよい。これにより、プロフィール情報交換した相手に対する所望のコメントを付記することができる。
【００２０】
当該情報交換システムは、上記サーバが、上記コメント追加手段によって追加されたコメントの閲覧を第二ユーザのみに制限する閲覧制限手段を有するとよい。これにより、プロフィール情報交換相手の特徴等を付記し、相手方のプロフィール情報と併せて確認することができる。
【００２１】
また、本発明に係る情報交換方法は、
超音波通信可能な第一携帯端末及び第二携帯端末と、上記第一携帯端末及び第二携帯端末とネットワーク通信可能なサーバとを用いた情報交換方法であって、
上記サーバが、
上記第一携帯端末からの要求に基づいて第一携帯端末の個体識別情報を記憶する第一の個体識別情報記憶ステップと、
上記第一携帯端末からの要求に基づいて第一携帯端末の第一ユーザのプロフィール情報を上記第一の個体識別情報記憶ステップで記憶された第一携帯端末の個体識別情報に関連付けて記憶する第一のプロフィール情報記憶ステップと、
第二携帯端末の個体識別情報を記憶する第二の個体識別情報記憶ステップと、
上記第一携帯端末から超音波信号により発信され上記第二携帯端末によって受信された第一携帯端末の個体識別情報に基づいて、上記第一のプロフィール情報記憶ステップによって第一携帯端末の個体識別情報と関連付けられた第一ユーザのプロフィール情報を第二携帯端末の第二ユーザに閲覧させるためのプロフィール交換データを作成する第一のプロフィール交換データ作成ステップと、
上記第一のプロフィール交換データ作成ステップで作成されたプロフィール交換データに基づいて、第一ユーザのプロフィール情報を第二携帯端末に表示する第一のプロフィール情報表示ステップと
を備えている。
【００２２】
当該情報交換方法は、第一携帯端末と第二携帯端末との超音波通信に基づいて第一ユーザのプロフィール情報を第二携帯端末に表示することができる。当該情報交換方法は、例えば第一携帯端末及び第二携帯端末が専用のアプリケーションをインストールすることで、第一ユーザのプロフィール情報を第二携帯端末に表示することができる。従って、当該情報交換方法は、特定のハードウェアに依存せず、かつスムーズにプロフィール情報を交換することができる。また、当該情報交換方法は、サーバが特定のプロフィール交換データを作成することによって第一ユーザのプロフィール情報を第二ユーザに閲覧させるものであるため、プロフィール情報提供者が特定の名刺等を携帯しておく必要がない。それゆえ、当該情報交換方法によれば、名刺不足等のためにプロフィール交換の機会を失することが防止されるとともに、名刺の保管スペースの増大も防止することができる。さらに、当該情報交換方法によれば、名刺を作成及び増刷する必要がないため、名刺作成にかかるコストを抑制することができる。
【００２３】
さらに、本発明に係るプログラムは、
超音波通信可能な第一携帯端末及び第二携帯端末と、上記第一携帯端末及び第二携帯端末とネットワーク通信可能なサーバとを用いた情報交換方法をコンピュータに実行させるためのプログラムであって、
上記サーバを
上記第一携帯端末からの要求に基づいて第一携帯端末の個体識別情報を記憶する第一の個体識別情報記憶手段と、
上記第一携帯端末からの要求に基づいて第一携帯端末の第一ユーザのプロフィール情報を上記第一の個体識別情報記憶手段に記憶された第一携帯端末の個体識別情報に関連付けて記憶する第一のプロフィール情報記憶手段と、
第二携帯端末の個体識別情報を記憶する第二の個体識別情報記憶手段と、
上記第一携帯端末から超音波信号により発信され上記第二携帯端末によって受信された第一携帯端末の個体識別情報に基づいて、上記第一のプロフィール情報記憶手段によって第一携帯端末の個体識別情報と関連付けられた第一ユーザのプロフィール情報を第二携帯端末の第二ユーザに閲覧させるためのプロフィール交換データを作成する第一のプロフィール交換データ作成手段と、
上記第一のプロフィール交換データ作成手段に作成されたプロフィール交換データに基づいて、第一ユーザのプロフィール情報を第二携帯端末に表示する第一のプロフィール情報表示手段と
して機能させる。
【００２４】
当該プログラムによると、特定のハードウェアに依存せず、かつスムーズにプロフィール情報を交換することができる。また、当該プログラムによると、サーバが特定のプロフィール交換データを作成することによって第一ユーザのプロフィール情報を第二ユーザに閲覧させることができるため、プロフィール情報提供者が特定の名刺等を携帯しておく必要がない。それゆえ、当該プログラムによれば、名刺不足等のためにプロフィール交換の機会を失することが防止されるとともに、名刺の保管スペースの増大も防止することができる。さらに、当該プログラムによれば、名刺を作成及び増刷する必要がないため、名刺作成にかかるコストを抑制することができる。
【発明の効果】
【００２５】
以上説明したように、本発明の情報交換システム、情報交換方法及びプログラムは、特定のハードウェアに依存せず、かつスムーズに名刺交換を行うことができるとともに、名刺の不足、紛失及び保管スペースの増加等を防止することができる。
【図面の簡単な説明】
【００２６】
【図１】本発明の一実施形態に係る情報交換システムを示す概略ブロック図である。
【図２】図１の情報交換システムの第一ログイン画面の一例を示す図である。
【図３】図１の情報交換システムの第二ログイン画面の一例を示す図である。
【図４】図１の情報交換システムの第三ログイン画面の一例を示す図である。
【図５】図１の情報交換システムの動作手順を示すシーケンス図である。
【図６】図１の情報交換システムのプロフィール情報作成画面の一例を示す図である。
【図７】図１の情報交換システムのプロフィール画面の一例を示す図である。
【図８】図１の情報交換システムとは異なる形態に係る情報交換システムを示す概略ブロック図である。
【図９】図８の情報交換システムの動作手順を示すシーケンス図である。
【図１０】図１及び図８の情報交換システムとは異なる形態に係る情報交換システムを示す概略ブロック図である。
【図１１】図１０の情報交換システムの動作手順を示すシーケンス図である。
【図１２】図１０の情報交換システムの名刺データ表示画面の一例を示す図である。
【図１３】図１０の情報交換システムのプロフィール画面の一例を示す図である。
【発明を実施するための形態】
【００２７】
以下、適宜図面を参照しつつ、本発明の実施の形態を詳説する。
【００２８】
［第一実施形態］
＜情報交換システム＞
図１の情報交換システム１は、第一携帯端末２と、第二携帯端末３と、サーバ４と、通信ネットワーク５とを備えている。情報交換システム１は、従来の紙製名刺の交換に代る名刺交換システムとして用いられる。情報交換システム１において、第一携帯端末２及び第二携帯端末３は、実際には複数存在している。ただし、図１では、煩雑さ回避のため、各１個について説明する。
【００２９】
（第一携帯端末）
第一携帯端末２は、通信部６と、入力部７と、表示部８と、制御部９と、記憶部１０とを有している。第一携帯端末２は、第二携帯端末３と超音波通信可能に形成されている。第一携帯端末２は、サーバ４とネットワーク通信可能に形成されている。
【００３０】
通信部６は、アンテナを有している。通信部６は、アンテナを介してサーバ４とのネットワーク通信を行う。また、通信部６は、スピーカー及びマイクを有している。通信部６は、スピーカーから第二携帯端末３に超音波信号を発信する。通信部６は、第二携帯端末３から発信される超音波信号をマイクによって受信する。
【００３１】
入力部７は、プッシュボタン、カーソルキー等の各種ボタンやタッチパネル等の入力手段を有している。入力部７は第一携帯端末２を所持するユーザ（「第一ユーザ」ともいう。）からの入力を受けて、その入力内容に応じた操作信号を制御部９に通知する。
【００３２】
表示部８は、液晶その他の表示素子を含んで構成されている。表示部８は、文字情報や映像・画像情報、操作・動作等に関する種々の情報を表示する。
【００３３】
制御部９は、演算処理部を含んでいる。制御部９は、通信制御手段１１を有している。
【００３４】
通信制御手段１１は、第二携帯端末３との超音波通信を制御する。また、通信制御手段１１は、サーバ４とのネットワーク通信を制御する。通信制御手段１１は、第一携帯端末２にインストールされたアプリケーションプログラムを利用して第二携帯端末３との超音波通信及びサーバ４とのネットワーク通信を制御する。
【００３５】
記憶部１０は、制御部９が実行する動作プログラムや、この動作プログラムの処理に必要となるデータ等を記憶する。記憶部１０は、第一携帯端末２にインストールされたアプリケーションプログラムを記憶する。
【００３６】
（第二携帯端末）
第二携帯端末３は、通信部１２と、入力部１３と、表示部１４と、制御部１５と、記憶部１６とを有している。第二携帯端末３は、第一携帯端末２と超音波通信可能に形成されている。第二携帯端末３は、サーバ４とネットワーク通信可能に形成されている。
【００３７】
通信部１２は、アンテナを有している。通信部１２は、アンテナを介してサーバ４とのネットワーク通信を行う。また、通信部１２は、スピーカー及びマイクを有している。通信部１２は、スピーカーから第一携帯端末２に超音波信号を発信する。通信部１２は、第一携帯端末２から発信される超音波信号をマイクによって受信する。
【００３８】
入力部１３は、プッシュボタン、カーソルキー等の各種ボタンやタッチパネル等の入力手段を有している。入力部１３は、第二携帯端末３を所持するユーザ（「第二ユーザ」ともいう。）からの入力を受けて、その入力内容に応じた操作信号を制御部１５に通知する。
【００３９】
表示部１４は、液晶その他の表示素子を含んで構成されている。表示部１４は、文字情報や映像・画像情報、操作・動作等に関する種々の情報を表示する。
【００４０】
制御部１５は、演算処理部を含んでいる。制御部１５は、通信制御手段１７を有している。
【００４１】
通信制御手段１７は、第一携帯端末２との超音波通信を制御する。また、通信制御手段１７は、サーバ４とのネットワーク通信を制御する。通信制御手段１７は、第二携帯端末３にインストールされたアプリケーションプログラムを利用して第一携帯端末２との超音波通信及びサーバ４とのネットワーク通信を制御する。
【００４２】
記憶部１６は、制御部１５が実行する動作プログラムや、この動作プログラムの処理に必要となるデータ等を記憶する。記憶部１６は、第二携帯端末３にインストールされたアプリケーションプログラムを記憶する。
【００４３】
（サーバ）
サーバ４は、通信部１８と、制御部１９と、記憶部２０とを有している。サーバ４は、第一携帯端末２及び第二携帯端末３をネットワーク通信可能に形成されている。
【００４４】
通信部１８は、通信ネットワーク５を介して第一携帯端末２及び第二携帯端末３とのネットワーク通信を行う。
【００４５】
制御部１９は、演算処理部を含んでいる。制御部１９は、ログイン手段２１と、個体識別情報記憶手段２２と、プロフィール情報記憶手段２３と、プロフィール交換データ作成手段２４と、プロフィール情報表示手段２５と、プロフィール情報更新手段２６と、コメント追加手段２７と、閲覧制限手段２８とを有している。
【００４６】
ログイン手段２１は、第一携帯端末２からの要求に基づいて第一ユーザのログイン処理を行う。また、ログイン手段２１は、第二携帯端末３からの要求に基づいて第二ユーザのログイン処理を行う。ログイン手段２１は、第一ユーザ及び第二ユーザのログインに際し、初回のログインであるか二回目以降のログインであるかによって異なる手順を提示する。以下に初回のログイン時及び２回目以降のログイン時における第一ユーザ及び第二ユーザのログイン手順を説明する。なお、第一ユーザ及び第二ユーザのログイン手順は同様であるため、第一ユーザのログイン手順についてのみ示す。
【００４７】
ログイン手段２１は、第一ユーザの初回のログイン時においては、まず第一携帯端末２にインストールされたアプリケーションプログラムが起動されると、第一携帯端末２に図２に示すような第一ログイン画面３１を表示する。ログイン手段２１は、第一携帯端末２の入力及び送信操作に基づいて第一ログイン画面３１の所定欄に会員ＩＤ、メールアドレス、パスワードが入力され、かつ送信されると、これらの会員ＩＤ、メールアドレス及びパスワードが認証可能かどうかを判断する。ログイン手段２１は、これらの会員ＩＤ、メールアドレス及びパスワードが認証可能であると判断した場合、これらの情報を関連付けて第一ユーザのユーザ識別情報として記憶部２０に記憶したうえで、第一ユーザのログインを許可する。一方、ログイン手段２１は、これらの会員ＩＤ、メールアドレス及びパスワードが認証不可であると判断した場合には、第一携帯端末２に認証可能な会員ＩＤ、メールアドレス及びパスワードを再入力するよう促す画面を表示する。なお、認証不可の場合としては、例えば同様の会員ＩＤを有する別の会員が存在する場合、パスワードの文字数が足りない場合等が挙げられる。
【００４８】
一方、ログイン手段２１は、第一ユーザの２回目以降のログイン時には、まず第一携帯端末２にインストールされたアプリケーションプログラムが起動されると、この第一携帯端末２の個体識別情報が会員情報として記憶部２０に記憶されているかどうかを確認する。ログイン手段２１は、第一携帯端末２の個体識別情報が会員情報として記憶部２０に記憶されている場合、図３に示すような第二ログイン画面３２を第一携帯端末２に表示する。そして、ログイン手段２１は、第一携帯端末２の入力及び送信操作に基づいて第二ログイン画面３２の所定欄にパスワードが入力され、かつ送信されると、このパスワードを照会したうえで第一ユーザをログイン許可する。なお、本明細書においては、ログイン手段２１によって関連付けられた会員ＩＤ、メールアドレス及びパスワードを「ユーザ識別情報」といい、このユーザ識別情報、及び個体識別情報記録手段２１によって記憶され、このユーザ識別情報と関連付けられた携帯端末の個体識別情報を含めた情報を「会員情報」というものとする。
【００４９】
また、ログイン手段２１は、第一ユーザの２回目以降のログインに際し、第一携帯端末２の個体識別情報が会員識別情報として複数のユーザ識別情報と関連付けて記憶されている場合、図４に示すような第三ログイン画面３３を第一携帯端末２に表示する。ログイン手段２１は、第三ログイン画面３３に表示される複数のユーザ名から所定のユーザ名を第一ユーザに選択させたうえ、第一携帯端末２の入力及び送信操作に基づいてこのユーザ名に対応するユーザ識別情報が入力され、かつ送信されると、これらのユーザ識別情報を照会したうえで第一ユーザをログイン許可する。
【００５０】
なお、ログイン手段２１が第一ユーザをログイン許可する際には、必ずしも会員ＩＤ、メールアドレス及びパスワードの全てを照会する必要はない。また、ログイン手段２１は、第一携帯端末２の個体識別情報が一のユーザ識別情報と関連付けて記憶されている場合、会員ＩＤ、メールアドレス及びパスワードの照会を省略して第一ユーザをログイン許可してもよい。
【００５１】
個体識別情報記憶手段２２は、第一携帯端末２からの要求に基づいて第一携帯端末２の個体識別情報を記憶部２０に記憶する（第一の個体識別情報記憶手段）。また、個体識別情報記憶手段２２は、第二携帯端末３からの要求に基づいて第二携帯端末３の個体識別情報を記憶部２０に記憶する（第二の個体識別情報記憶手段）。個体識別情報記憶手段２２は、ログイン手段２１によって、初回のログイン時にユーザ識別情報が記憶部２０に記憶された際に、このユーザ識別情報を送信した携帯端末の個体識別情報を会員情報としてこのユーザ識別情報と関連付けて記憶部２０に記憶する。
【００５２】
プロフィール情報記憶手段２３は、第一携帯端末２からの要求に基づいて第一ユーザのプロフィール情報を個体識別情報記憶手段２２（第一の個体識別情報記憶手段）に記憶された第一携帯端末２の個体識別情報に関連付けて記憶する（第一のプロフィール情報記憶手段）。また、プロフィール情報記憶手段２３は、第二携帯端末３からの要求に基づいて第二ユーザのプロフィール情報を個体識別情報記憶手段２２（第二の個体識別情報記憶手段）に記憶された第二携帯端末３の個体識別情報と関連付けて記憶する（第二のプロフィール情報記憶手段）。
【００５３】
プロフィール交換データ作成手段２４は、第一携帯端末２から超音波信号により発信され第二携帯端末３によって受信された第一携帯端末２の個体識別情報に基づいて、プロフィール情報記憶手段２３（第一のプロフィール情報記憶手段）によって第一携帯端末２の個体識別情報と関連付けられた第一ユーザのプロフィール情報を第二携帯端末３の第二ユーザに閲覧させるためのプロフィール交換データを作成する（第一のプロフィール交換データ作成手段）。具体的には、プロフィール交換データ作成手段２４は、超音波信号によって発信される第一携帯端末２の個体識別情報を受信した第二携帯端末３から、第一携帯端末２の個体識別情報及び第二携帯端末３の個体識別情報を関連付けて受信すると、個体識別情報記憶手段２２によって第一携帯端末２の個体識別情報と関連付けて記憶されている第一ユーザのユーザ識別情報（例えば会員ＩＤ）を第二ユーザのユーザ識別情報（例えば会員ＩＤ）又は第二携帯端末３の個体識別情報と関連付けて記憶することでプロフィール交換データを作成する。また、プロフィール交換データ作成手段２４は、第二携帯端末３から超音波信号により発信され第一携帯端末２によって受信された第二携帯端末３の個体識別情報に基づいて、プロフィール情報記憶手段２３（第二のプロフィール情報記憶手段）によって第二携帯端末３の個体識別情報と関連付けられた第二ユーザのプロフィール情報を第一携帯端末２の第一ユーザに閲覧させるためのプロフィール交換データを作成する（第二のプロフィール交換データ作成手段）。具体的には、プロフィール交換データ作成手段２４は、超音波信号によって発信される第二携帯端末３の個体識別情報を受信した第一携帯端末２から、第二携帯端末３の個体識別情報及び第一携帯端末２の個体識別情報を関連付けて受信すると、個体識別情報記憶手段２２によって第二携帯端末３の個体識別情報と関連付けて記憶されている第二ユーザのユーザ識別情報（例えば会員ＩＤ）を第一ユーザのユーザ識別情報（例えば会員ＩＤ）と関連付けて記憶することでプロフィール交換データを作成する。
【００５４】
プロフィール情報表示手段２５は、プロフィール交換データ作成手段２４（第一のプロフィール交換データ作成手段）に作成されたプロフィール交換データに基づいて、第一ユーザのプロフィール情報を第二携帯端末３に表示する（第一のプロフィール情報表示手段）。具体的には、プロフィール情報表示手段２５は、プロフィール交換データ作成手段２４（第一のプロフィール交換データ作成手段）及びプロフィール情報記憶手段２３（第一のプロフィール情報記憶手段）によって第二ユーザのユーザ識別情報又は第二携帯端末３の個体識別情報と関連付けられた第一ユーザのプロフィール情報を第二携帯端末３の表示部１４に表示する。また、プロフィール情報表示手段２５は、プロフィール交換データ作成手段２４（第二のプロフィール交換データ作成手段）に作成されたプロフィール交換データに基づいて、第二ユーザのプロフィール情報を第一携帯端末２に表示する（第三のプロフィール情報表示手段）。具体的には、プロフィール情報表示手段２５は、プロフィール交換データ作成手段２４（第二のプロフィール交換データ作成手段）及びプロフィール情報記憶手段２３（第二のプロフィール情報記憶手段）によって第一ユーザのユーザ識別情報又は第一携帯端末２の個体識別情報と関連付けられた第二ユーザのプロフィール情報を第一携帯端末２の表示部８に表示する。
【００５５】
さらに、プロフィール情報表示手段２５は、プロフィール情報記憶手段２３（第一のプロフィール情報記憶手段）によって第一携帯端末２の個体識別情報と関連付けて記憶された第一ユーザのプロフィール情報を第一携帯端末２に表示する（第四のプロフィール情報表示手段）。また、プロフィール情報表示手段２５は、プロフィール情報記憶手段２３（第二のプロフィール情報記憶手段）によって第二携帯端末３の個体識別情報と関連付けて記憶された第二ユーザのプロフィール情報を第二携帯端末３に表示する（第五のプロフィール情報表示手段）。
【００５６】
プロフィール情報更新手段２６は、第一携帯端末２の入力及び送信操作に起因して、第二携帯端末３に表示される第一ユーザのプロフィール情報を更新する（第一のプロフィール情報更新手段）。また、プロフィール情報更新手段２６は、第二携帯端末３の入力及び送信操作に起因して、第一携帯端末２に表示される第二ユーザのプロフィール情報を更新する（第二のプロフィール情報更新手段）。
【００５７】
コメント追加手段２７は、プロフィール情報表示手段２５（第一のプロフィール情報表示手段）によって第一ユーザのプロフィール情報が表示された第二携帯端末３の入力及び送信操作に起因して、第一ユーザのプロフィール情報にコメントを追加する（第一のコメント追加手段）。また、コメント追加手段２７は、プロフィール情報表示手段２５（第二のプロフィール情報表示手段）によって第二ユーザのプロフィール情報が表示された第一携帯端末２の入力及び送信操作に起因して、第二ユーザのプロフィール情報にコメントを追加する（第二のコメント追加手段）。
【００５８】
閲覧制限手段２８は、コメント追加手段２７（第一のコメント追加手段）によって追加されたコメントの閲覧を第二ユーザのみに制限する（第一の閲覧制限手段）。また、閲覧制限手段２８は、コメント追加手段２７（第二のコメント追加手段）によって追加されたコメントの閲覧を第一ユーザのみに制限する（第二の閲覧制限手段）。具体的には、閲覧制限手段２８は、コメントを追加したユーザ識別情報を有するユーザからのログイン時のみにコメントの閲覧を可能とする。
【００５９】
記憶部２０は、制御部１９が実行する動作プログラムや、この動作プログラムの処理に必要となるデータ等を記憶する。記憶部２０には、会員ＩＤ、メールアドレス、パスワード等のユーザ識別情報、携帯端末の個体識別情報、プロフィール情報、コメント情報等が格納される。
【００６０】
（通信ネットワーク）
通信ネットワーク５は、典型的にはインターネットである。通信ネットワーク５は、第一携帯端末２、第二携帯端末３とサーバ４とを接続可能に構成されている。通信ネットワーク５は、第一携帯端末２、第二携帯端末３とサーバ４とを直接接続してもよく、また移動通信網用サーバ（図示せず）を介して接続してもよい。移動通信網用サーバを介して第一携帯端末２、第二携帯端末３とサーバ４とを接続する場合、第一携帯端末２、第二携帯端末３と移動通信網用サーバとは、移動通信網（図示せず）によって接続され、移動通信網用サーバとサーバ４とが通信ネットワーク５によって接続される。
【００６１】
＜動作手順＞
次に、図５を参照して当該情報交換システム１の動作手順について説明する。なお、図５では、第一携帯端末２の第一ユーザのプロフィール情報を第二携帯端末３に表示する場合について説明するが、第二携帯端末３の第二ユーザのプロフィール情報を第一携帯端末２に表示する場合の手順も同様である。また、当該情報交換システム１では、第二ユーザについても第一ユーザと同様のログイン手順を踏むが、以下の説明では第二ユーザのログイン手順についての説明は省略する。
【００６２】
個体識別情報送信ステップ（Ｓ１）は、第一携帯端末２の個体識別情報を第一携帯端末２からサーバ４に送信するステップである。Ｓ１は、第一携帯端末２にインストールされたアプリケーションプログラムが起動されることで行われる。
【００６３】
個体識別情報受信ステップ（Ｓ２）は、Ｓ１で送信される第一携帯端末２の個体識別情報をサーバ４が受信することで行われる。
【００６４】
ログインステップ（Ｓ３）は、第一携帯端末２からの要求に基づいて第一ユーザのログイン処理を行う。Ｓ３は、ログイン手段２１によって行われる。Ｓ３は、第一ユーザのログインが初回のログインであるか、２回目以降のログインであるかによって異なる手順で行われる。
【００６５】
まず、第一ユーザのログインが初回のログインである場合について説明する。Ｓ３は、Ｓ２で受信した第一携帯端末２の個体識別情報が会員情報として記憶部２０に記憶されているかどうかを確認する。Ｓ３は、第一携帯端末２の個体識別情報が会員情報として記憶部２０に記憶されていない場合、第一ユーザのログインが初回のログインであると判断する。Ｓ３は、第一ユーザの初回のログイン時においては、第一携帯端末２に図２に示すような第一ログイン画面３１を表示する。Ｓ３は、第一携帯端末２の入力及び送信操作に基づいて第一ログイン画面３１の所定欄に会員ＩＤ、メールアドレス、パスワードが入力され、かつサーバ４に送信されると、これらの会員ＩＤ、メールアドレス及びパスワードが認証可能かどうかを判断する。Ｓ３は、これらの会員ＩＤ、メールアドレス及びパスワードが認証可能であると判断した場合、これらの情報を関連付けて第一ユーザのユーザ識別情報として記憶部２０に記憶したうえで、第一ユーザのログインを許可する。一方、Ｓ３は、これらの会員ＩＤ、メールアドレス及びパスワードが認証不可であると判断した場合には、第一携帯端末２に認証可能な会員ＩＤ、メールアドレス及びパスワードを再入力するよう促す画面を表示する。なお、認証不可の場合としては、例えば同様の会員ＩＤを有する別の会員が存在する場合、パスワードの文字数が足りない場合等が挙げられる。
【００６６】
一方、Ｓ３は、第一ユーザの２回目以降のログイン時には、図３に示すような第二ログイン画面３２を第一携帯端末２に表示する。そして、Ｓ３は、第一携帯端末２の入力及び送信操作に基づいて第二ログイン画面３２の所定欄にパスワードが入力され、かつ送信されると、このパスワードを照会したうえで第一ユーザをログイン許可する。また、Ｓ３は、第一ユーザの２回目以降のログインに際し、第一携帯端末２の個体識別情報が会員識別情報として複数のユーザ識別情報と関連付けて記憶されている場合、図４に示すような第三ログイン画面３３を第一携帯端末２に表示する。Ｓ３は、第三ログイン画面３３に表示される複数のユーザ名から所定のユーザ名を第一ユーザに選択させたうえ、第一携帯端末２の入力及び送信操作に基づいてこのユーザ名に対応するユーザ識別情報が入力され、かつ送信されると、これらのユーザ識別情報を照会したうえで第一ユーザをログイン許可する。なお、当該情報交換システム１では、例えば、Ｓ３において２回目以降のログインと判断された場合でも、既に登録されている情報とは別の情報で新規にログイン可能とするように構成されている。このような方法としては、例えば第二ログイン画面３２において、新規登録ボタンを設け、この新規登録ボタンが押下された場合には第一ログイン画面３１を表示する方法等が挙げられる。
【００６７】
なお、Ｓ３が第一ユーザをログイン許可する際には、必ずしも会員ＩＤ、メールアドレス及びパスワードの全てを照会する必要はない。また、Ｓ３は、第一携帯端末２の個体識別情報が一のユーザ識別情報と関連付けて記憶されている場合、会員ＩＤ、メールアドレス及びパスワードの照会を省略して第一ユーザをログイン許可してもよい。
【００６８】
個体識別情報記憶ステップ（Ｓ４）は、第一携帯端末２からの要求に基づいて第一携帯端末２の個体識別情報を記憶部２０に記憶する（第一の個体識別情報記憶ステップ）。Ｓ４は、個体識別情報記憶手段２２によって行われる。Ｓ４は、第一ユーザの初回のログイン時に第一ユーザのユーザ識別情報がＳ３によって記憶部２０に記憶された際に、このユーザ識別情報を送信した第一携帯端末２の個体識別情報をこのユーザ識別情報と関連付けて会員情報として記憶部２０に記憶する。Ｓ４は、第一ユーザの初回のログイン時に行われればよく、２回目以降のログイン時には行われなくてもよい。
【００６９】
プロフィール情報記憶ステップ（Ｓ５）は、第一携帯端末２からの要求に基づいて第一ユーザのプロフィール情報をＳ４で記憶された第一携帯端末２の個体識別情報に関連付けて記憶する（第一のプロフィール情報記憶ステップ）。Ｓ５は、プロフィール情報記憶手段２３によって行われる。
【００７０】
以下、第一ユーザのプロフィール情報を記憶する手順について詳述する。
【００７１】
第一携帯端末２の第一ユーザがＳ３によってログイン許可された場合、第一携帯端末２の表示部８には、メニュー画面（図示せず）が表示される。そして、第一ユーザによってこのメニュー画面におけるプロフィール情報作成ボタンが押下されると、第一携帯端末２の表示部８には図６に示すようなプロフィール情報作成画面３４が表示される。第一携帯端末２の第一ユーザは、プロフィール情報作成画面３４において、名前、自己紹介文、写真、会社名等を所定の欄に入力し、登録ボタン３５を押す。これにより、第一ユーザのプロフィール情報が第一携帯端末２の個体識別情報に関連付けて記憶される。なお、プロフィール情報作成画面３４において、第一ユーザの所定のプロフィール情報が入力されたうえ、保存ボタン３６が押下された場合も、入力されたプロフィール情報が第一携帯端末２の個体識別情報と関連付けられたうえサーバ４の記憶部２０に記憶される。第一携帯端末２の第一ユーザは、この保存されたプロフィール情報を適宜登録することができる。この保存されたプロフィール情報は、このように登録されることによって、第二携帯端末３に表示されるプロフィール情報として利用されることができる。さらに、プロフィール情報作成画面３４において、第一ユーザの所定のプロフィール情報が入力されたうえ、プレビューボタン３７が押下されると、第一携帯端末２の表示部８に図７のプロフィール画面３８が表示される（第四のプロフィール情報表示ステップ）。プロフィール画面３８は、後述のプロフィール情報表示ステップ（Ｓ７）において、第二携帯端末３に表示されるプロフィール情報を表示したものである。第一携帯端末２の第一ユーザは、プロフィール情報作成画面３４でプレビューボタン３７を押下することによって、第二携帯端末３に表示される自身のプロフィール情報を確認することができる。
【００７２】
プロフィール交換データ作成ステップ（Ｓ６）は、第一携帯端末２から超音波信号により発信され第二携帯端末３によって受信された第一携帯端末２の個体識別情報に基づいて、Ｓ５で第一携帯端末２の個体識別情報と関連付けられた第一ユーザのプロフィール情報を第二ユーザに閲覧させるためのプロフィール交換データを作成する（第一のプロフィール交換データ作成ステップ）。Ｓ６は、プロフィール交換データ作成手段２４によって行われる。Ｓ６は、第一携帯端末２及び第二携帯端末３が共にログイン状態である場合に行われる。そのため、Ｓ６が行われるうえでは、第二携帯端末３の第二ユーザも、サーバ４にログインし、第二携帯端末３の個体識別情報を記憶部２０に記憶しておくことが必要とされる（第二の個体識別情報記憶ステップ）。なお、本実施形態では、第二携帯端末３の個体識別情報と第二ユーザのユーザ識別情報とは関連付けて記憶部２０に記憶される。
【００７３】
Ｓ６は、超音波信号によって発信される第一携帯端末２の個体識別情報を受信した第二携帯端末３から、第一携帯端末２の個体識別情報及び第二携帯端末３の個体識別情報を関連付けて受信すると、Ｓ４で第一携帯端末２の個体識別情報と関連付けて記憶されている第一ユーザのユーザ識別情報（例えば会員ＩＤ）を第二ユーザのユーザ識別情報（例えば会員ＩＤ）又は第二携帯端末３の個体識別情報と関連付けて記憶することでプロフィール交換データを作成する。
【００７４】
プロフィール情報表示ステップ（Ｓ７）は、Ｓ６で作成されたプロフィール交換データに基づいて、第一ユーザのプロフィール情報を第二携帯端末３に表示する（第一のプロフィール情報表示ステップ）。Ｓ７は、プロフィール情報表示手段２５によって行われる。具体的には、Ｓ７は、Ｓ５及びＳ６を介して第二ユーザのユーザ識別情報又は第二携帯端末３の個体識別情報と関連付けられた第一ユーザのプロフィール情報を第二携帯端末３の表示部１４に表示する。Ｓ７では、第二携帯端末３の表示部１４に、プロフィール画面３８を表示する。Ｓ７は、例えばＳ６でプロフィール交換データが作成された際に第二携帯端末３の表示部１４にプロフィール画面３８を表示してもよく、また第二携帯端末３のメニュー画面（図示せず）における入力及び送信操作に基づいて第二携帯端末３の表示部１４にプロフィール画面３８を表示してもよい。
【００７５】
コメント追加ステップ（Ｓ８）は、Ｓ７で第一ユーザのプロフィール情報が表示された第二携帯端末３の入力及び送信操作に起因して、第一ユーザのプロフィール情報に第二ユーザのコメントを追加する（第一のコメント追加ステップ）。Ｓ８は、コメント追加手段２７によって行われる。Ｓ８は、プロフィール画面３８に所定のコメントを入力することで行われる。また、Ｓ８で入力されたコメントは、閲覧制限手段２８によって、第二ユーザのみ閲覧可能に構成される。具体的には、Ｓ８で入力されたコメントは、第二ユーザのログイン時のみに表示される。
【００７６】
プロフィール情報更新ステップ（Ｓ９）は、第一携帯端末２の入力及び送信操作に起因して、第二携帯端末３に表示される第一ユーザのプロフィール情報を更新する（第一のプロフィール情報更新ステップ）。Ｓ９は、プロフィール情報更新手段２６によって行われる。Ｓ９は、プロフィール情報作成画面３４における操作に基づいて行われる。Ｓ９は、プロフィール情報作成画面３４で所定の情報を修正し、この修正情報を登録することで行われる。Ｓ９の後においては、第二携帯端末３の表示部１４には、Ｓ９で更新した第一ユーザのプロフィール情報が表示される。
【００７７】
＜利点＞
当該情報交換システム１は、第一携帯端末２と第二携帯端末３との超音波通信に基づいて第一ユーザのプロフィール情報を第二携帯端末３に表示することができる。当該情報交換システム１は、例えば第一携帯端末２及び第二携帯端末３が専用のアプリケーションをインストールすることで、第一ユーザのプロフィール情報を第二携帯端末３に表示することができる。従って、当該情報交換システム１は、特定のハードウェアに依存せず、かつスムーズにプロフィール情報を交換することができる。また、当該情報交換システム１は、サーバ４が特定のプロフィール交換データを作成することによって第一ユーザのプロフィール情報を第二ユーザに閲覧させるものであるため、プロフィール情報提供者が特定の名刺等を携帯しておく必要がない。それゆえ、当該情報交換システム１によれば、名刺不足等のためにプロフィール交換の機会を失することが防止されるとともに、名刺の保管スペースの増大も防止することができる。さらに、当該情報交換システム１によれば、名刺を作成及び増刷する必要がないため、名刺作成にかかるコストを抑制することができる。
【００７８】
当該情報交換システム１は、第二携帯端末３の第二ユーザのプロフィール情報を第一携帯端末２に表示することができるので、第一ユーザと第二ユーザとの間で相互に容易かつ確実にプロフィール情報を交換することができる。
【００７９】
当該情報交換システム１は、サーバ４が、第一携帯端末２の入力及び送信操作に起因して、第二携帯端末３に表示される第一ユーザのプロフィール情報を更新することができるので、第一ユーザの住所、役職等のプロフィールが変更された場合でも、第一ユーザがプロフィール情報を更新することによって、第二携帯端末３に表示される第一ユーザのプロフィール情報を最新の状態に保つことができる。
【００８０】
当該情報交換システム１は、サーバ４が、第一のプロフィール情報表示手段によって第一ユーザのプロフィール情報が表示された第二携帯端末３の入力及び送信操作に起因して、第一ユーザのプロフィール情報に第二ユーザのコメントを追加することができるので、プロフィール情報交換した相手に対する所望のコメントを付記することができる。
【００８１】
当該情報交換システム１は、サーバ４が、コメント追加手段２７によって追加されたコメントの閲覧を第二ユーザのみに制限することができるので、プロフィール情報交換相手の特徴等を付記し、相手方のプロフィール情報と併せて確認することができる。
【００８２】
当該情報交換方法は、第一携帯端末２と第二携帯端末３との超音波通信に基づいて第一ユーザのプロフィール情報を第二携帯端末３に表示することができる。当該情報交換方法は、例えば第一携帯端末２及び第二携帯端末３が専用のアプリケーションをインストールすることで、第一ユーザのプロフィール情報を第二携帯端末３に表示することができる。従って、当該情報交換方法は、特定のハードウェアに依存せず、かつスムーズにプロフィール情報を交換することができる。また、当該情報交換方法は、サーバ４が特定のプロフィール交換データを作成することによって第一ユーザのプロフィール情報を第二ユーザに閲覧させるものであるため、プロフィール情報提供者が特定の名刺等を携帯しておく必要がない。それゆえ、当該情報交換方法によれば、名刺不足等のためにプロフィール交換の機会を失することが防止されるとともに、名刺の保管スペースの増大も防止することができる。さらに、当該情報交換方法によれば、名刺を作成及び増刷する必要がないため、名刺作成にかかるコストを抑制することができる。
【００８３】
当該プログラムによると、特定のハードウェアに依存せず、かつスムーズにプロフィール情報を交換することができる。また、当該プログラムによると、サーバ４が特定のプロフィール交換データを作成することによって第一ユーザのプロフィール情報を第二ユーザに閲覧させることができるため、プロフィール情報提供者が特定の名刺等を携帯しておく必要がない。それゆえ、当該プログラムによれば、名刺不足等のためにプロフィール交換の機会を失することが防止されるとともに、名刺の保管スペースの増大も防止することができる。さらに、当該プログラムによれば、名刺を作成及び増刷する必要がないため、名刺作成にかかるコストを抑制することができる。
【００８４】
［第二実施形態］
＜情報交換システム＞
図８の情報交換システム４１は、超音波送信装置４２と、第一携帯端末（図示せず）と、第二携帯端末３と、サーバ４３と、通信ネットワーク５とを備えている。情報交換システム４１は、従来の紙製名刺の交換に代る名刺交換システムとして用いられる。情報交換システム４１において、超音波送信装置４２及び第二携帯端末３は、実際には複数存在している。だだし、図８では、煩雑さ回避のため、各１個について説明する。また、第二携帯端末３及び通信ネットワーク５は、図１の情報交換システム１と同様のため、同一符号を付して説明を省略する。
【００８５】
（超音波送信装置）
超音波送信装置４２は、通信部４４と、制御部４５と、記憶部４６とを有している。超音波送信装置４２は、第二携帯端末３と超音波通信可能に形成されている。超音波送信装置４２は、第一携帯端末と通信可能に形成されている。超音波送信装置４２は、店舗のレジカウンターや、建物の入口、演台等に設置可能な据置装置として形成されている。
【００８６】
通信部４４は、アンテナを有している。通信部４４は、アンテナを介して第一携帯端末と通信を行う。通信部４４は、スピーカー及びマイクを有している。通信部４４は、スピーカーから第一携帯端末及び第二携帯端末３に超音波信号を発信する。通信部４４は、マイクによって超音波信号を受信する。
【００８７】
制御部４５は、演算処理部を含んでいる。制御部４５は、通信制御手段４７と、超音波制御手段４８とを有している。
【００８８】
通信制御手段４７は、第一携帯端末との通信を制御する。また、通信制御手段４７は、第二携帯端末３との超音波通信を制御する。
【００８９】
超音波制御手段４８は、超音波送信装置４２から送信される超音波の出力及び進行方向を制御する。超音波制御手段４８は、例えば、超音波送信装置４２が飲食店等のレジカウンターに置かれる場合、このレジカウンターで飲食代金の精算等を行うユーザに対して超音波送信可能となるように超音波の出力及び進行方向を制御する。また、超音波制御手段４８は、超音波送信装置４２が建物の入口に設置される場合、この建物に入退場するユーザに対して超音波送信可能となるように超音波の出力及び進行方向を制御する。さらに、超音波制御手段４８は、超音波送信装置４２が演台に設置される場合には、視聴者に対して超音波送信可能となるように超音波の出力及び進行方向を制御する。
【００９０】
記憶部４６は、制御部４５が実行する動作プログラムや、この動作プログラムの処理に必要となるデータ等を記憶する。
【００９１】
（サーバ）
サーバ４３は、通信部１８と、制御部４９と、記憶部２０とを有している。サーバ４３は、第一携帯端末及び第二携帯端末３とネットワーク通信可能に形成されている。サーバ４３において、図１のサーバ４と同様の構成については、同一符号を付して適宜説明を省略する。
【００９２】
制御部４９は、演算処理部を含んでいる。制御部４９は、ログイン手段２１と、個体識別情報記憶手段２２と、プロフィール情報記憶手段２３と、超音波送信装置登録手段５０と、プロフィール交換データ作成手段５１と、プロフィール情報表示手段５２と、プロフィール情報更新手段２６と、コメント追加手段２７と、閲覧制限手段２８とを有している。
【００９３】
超音波送信装置登録手段５０は、第一携帯端末及び超音波送信装置４２の通信に基づいて第一携帯端末の個体識別情報と超音波送信装置４２の個体識別情報とを関連付けて記憶する。具体的には、超音波送信装置登録手段５０は、第一携帯端末と超音波送信装置４２との通信に基づいて、第一携帯端末から第一携帯端末の個体識別情報と超音波送信装置４２の個体識別情報とを受信すると、これらの個体識別情報を関連付けて記憶部２０に記憶する。
【００９４】
プロフィール交換データ作成手段５１は、プロフィール交換データ作成手段２４と同様にプロフィール交換データを作成する。さらに、プロフィール交換データ作成手段５１は、超音波送信装置４２から超音波信号によって発信され第二携帯端末３によって受信された超音波送信装置４２の個体識別情報に基づいて、プロフィール情報記憶手段２３（第一のプロフィール情報記憶手段）及び超音波送信装置登録手段５０によって超音波送信装置４２の個体識別情報と関連付けられた第一ユーザのプロフィール情報を第二携帯端末３の第二ユーザに閲覧させるためのプロフィール交換データを作成する（第二のプロフィール交換データ作成手段）。具体的には、プロフィール交換データ作成手段５１は、超音波信号によって発信される超音波送信装置４２の個体識別情報を受信した第二携帯端末３から、超音波送信装置４２の個体識別情報及び第二携帯端末３の個体識別情報を関連付けて受信すると、超音波送信装置登録手段５０によって超音波送信装置４２の個体識別情報と関連付けられて記憶された第一携帯端末の個体識別情報を判断したうえ、個体識別情報記憶手段２２によって第一携帯端末の個体識別情報と関連付けて記憶されている第一ユーザのユーザ識別情報（例えば会員ＩＤ）を第二ユーザのユーザ識別情報（例えば会員ＩＤ）又は第二携帯端末３の個体識別情報と関連付けて記憶することでプロフィール交換データを作成する。
【００９５】
プロフィール情報表示手段５２は、プロフィール情報表示手段２５と同様にプロフィール情報を表示する。さらに、プロフィール情報表示手段５２は、プロフィール交換データ作成手段５１（第二のプロフィール交換データ作成手段）に作成されたプロフィール交換データに基づいて、第一ユーザのプロフィール情報を第二携帯端末３に表示する（第二のプロフィール情報表示手段）。
【００９６】
＜動作手順＞
続いて、図９を参照して当該情報交換システム４１の動作手順について説明する。図９では、第一携帯端末の第一ユーザのユーザ識別情報と第一携帯端末の個体識別情報とが関連付けて記憶部２０に記憶され（個体識別情報記憶ステップ）、さらに第一ユーザのプロフィール情報と第一携帯端末の個体識別情報とが関連付けて記憶部２０に記憶されている（プロフィール情報記憶ステップ）ものとする。
【００９７】
超音波送信装置登録ステップ（Ｓ１１）は、第一携帯端末及び超音波送信装置４２の通信に基づいて第一携帯端末の個体識別情報と超音波送信装置４２の個体識別情報とを関連付けて記憶する。Ｓ１１は、超音波送信装置登録手段５０によって行われる。Ｓ１１は、第一携帯端末と超音波送信装置４２との通信に基づいて、第一携帯端末から第一携帯端末の個体識別情報と超音波送信装置４２の個体識別情報とを受信すると、これらの個体識別情報を関連付けて記憶部２０に記憶する。
【００９８】
プロフィール交換データ作成ステップ（Ｓ１２）は、超音波送信装置４２から超音波信号によって発信され第二携帯端末３によって受信された超音波送信装置４２の個体識別情報に基づいて、プロフィール情報記憶ステップ及びＳ１１を介して超音波送信装置４２の個体識別情報と関連付けられた第一ユーザのプロフィール情報を第二携帯端末３の第二ユーザに閲覧させるためのプロフィール交換データを作成する（第二のプロフィール交換データ作成ステップ）。Ｓ１２は、プロフィール交換データ作成手段５１によって行われる。Ｓ１２は、第二携帯端末３がログイン状態である場合に行われる。そのため、Ｓ１２が行われるうえでは、第二ユーザはサーバ４３にログインし、第二携帯端末３の個体識別情報を記憶部２０に記憶しておくことが必要とされる。なお、本実施形態では、第二携帯端末３の個体識別情報と第二ユーザのユーザ識別情報とが関連付けて記憶部２０に記憶される。
【００９９】
Ｓ１２は、超音波信号によって発信される超音波送信装置４２の個体識別情報を受信した第二携帯端末３から、超音波送信装置４２の個体識別情報及び第二携帯端末３の個体識別情報を関連付けて受信すると、Ｓ１１で超音波送信装置４２の個体識別情報と関連付けられて記憶された第一携帯端末の個体識別情報を判断したうえ、個体識別情報記憶ステップで第一携帯端末の個体識別情報と関連付けて記憶されている第一ユーザのユーザ識別情報（例えば会員ＩＤ）を第二ユーザのユーザ識別情報（例えば会員ＩＤ）又は第二携帯端末３の個体識別情報と関連付けて記憶することでプロフィール交換データを作成する。
【０１００】
プロフィール情報表示ステップ（Ｓ１３）は、Ｓ１２で作成されたプロフィール交換データに基づいて、第一ユーザのプロフィール情報を第二携帯端末３に表示する（第二のプロフィール情報表示ステップ）。Ｓ１３は、プロフィール情報表示手段５２によって行われる。具体的には、Ｓ１３は、Ｓ１２を介して第二ユーザのユーザ識別情報又は第二携帯端末３の個体識別情報と関連付けられた第一ユーザのプロフィール情報を第二携帯端末３の表示部１４に表示する。Ｓ１３は、例えばＳ１２でプロフィール交換データが作成された際に第二携帯端末３の表示部１４にプロフィール情報を表示してもよく、また第二携帯端末３のメニュー画面（図示せず）における入力及び送信操作に基づいて第二携帯端末３の表示部１４にプロフィール情報を表示してもよい。
【０１０１】
コメント追加ステップ（Ｓ１４）は、Ｓ１３で第一ユーザのプロフィール情報が表示された第二携帯端末３の入力及び送信操作に起因して、第一ユーザのプロフィール情報に第二ユーザのコメントを追加する。Ｓ１４は、コメント追加手段２７によって行われる。Ｓ１４は、Ｓ８と同様の手順で行われる。
【０１０２】
プロフィール情報更新ステップ（Ｓ１５）は、第一携帯端末の入力及び送信操作に起因して、第二携帯端末３に表示される第一ユーザのプロフィール情報を更新する。Ｓ１５は、プロフィール情報更新手段２６によって行われる。Ｓ１５は、Ｓ９と同様の手順で行われる。Ｓ１５では、第一ユーザのプロフィール情報として、例えば、飲食店のサービスメニューやクーポン券情報、講演者の講演スケジュール等が適宜更新される。
【０１０３】
＜利点＞
当該情報交換システム４１は、超音波送信装置４２により発信され第二携帯端末３によって受信された超音波送信装置の個体識別情報に基づいて、第一ユーザのプロフィール情報を第二携帯端末３に表示することができるので、超音波送信装置４２を用いて第一ユーザのプロフィール情報を第二ユーザに閲覧させることができ、プロフィール情報交換を効率的に行うことができる。
【０１０４】
当該情報交換システム４１は、超音波送信装置４２が、送信される超音波の出力及び進行方向を制御することができるので、プロフィール情報を交換したい相手と容易かつ確実にプロフィール情報交換を行うことができる。また、当該情報交換システム４１は、超音波送信装置４２から送信される超音波の出力及び進行方向を制御することによって、プロフィール情報交換時にプロフィール情報が第三者に漏洩することを防止することができる。
【０１０５】
当該情報交換システム４１は、超音波送信装置４２が据置式であることにより、超音波送信装置４２を所定の場所に設置しておき、その場に入場する相手に対して確実にプロフィール情報を送信することができる。当該情報交換システム４１は、例えば超音波送信装置４２を飲食店等の入口付近に設置しておき、この飲食店に入ってきた客に対して飲食店の広告等を提供したり、超音波送信装置４２を講演会場に設置しておき、視聴者に対して講演者の情報を提供したりすることができる。
【０１０６】
［第三実施形態］
＜情報交換システム＞
図１０の情報交換システム６１は、第一携帯端末２と、第二携帯端末３と、サーバ６２と、通信ネットワーク５とを備えている。情報交換システム６１は、従来の紙製名刺の交換に代る名刺交換システムとして用いられる。情報交換システム６１において、第一携帯端末２及び第二携帯端末３は、実際には複数存在している。ただし、図１０では、煩雑さ回避のため、各１個について説明する。また、第一携帯端末２、第二携帯端末３、通信ネットワーク５は、図１の情報交換システム１と同様のため、同一符号を付して説明を省略する。
【０１０７】
（サーバ）
サーバ６２は、通信部１８と、制御部６３と、記憶部２０とを有している。制御部６３は、演算処理部を含んでいる。制御部６３は、ログイン手段２１と、個体識別情報記憶手段２２と、プロフィール情報記憶手段２３と、名刺データ作成手段６４と、プロフィール交換データ作成手段２４と、プロフィール情報表示手段６５と、プロフィール情報更新手段２６と、コメント追加手段２７と、閲覧制限手段２８とを有している。通信部１８、記憶部２０、ログイン手段２１、個体識別情報記憶手段２２、プロフィール情報記憶手段２３、プロフィール交換データ作成手段２４、プロフィール情報更新手段２６、コメント追加手段２７、閲覧制限手段２８については、図１の情報交換システム１と同様のため、同一符号を付して説明を省略する。
【０１０８】
名刺データ作成手段６４は、プロフィール情報記憶手段２３（第一のプロフィール情報記憶手段）によって第一携帯端末２の個体識別情報と関連付けられた第一ユーザのプロフィール情報に基づく第一ユーザの名刺データを作成する（第一の名刺データ作成手段）。名刺データ作成手段６４は、第二携帯端末３の第二ユーザに対応して作成する名刺データを変更する。また、名刺データ作成手段６４は、プロフィール情報記憶手段２３（第二のプロフィール情報記憶手段）によって第二携帯端末３の個体識別情報と関連付けられた第二ユーザのプロフィール情報に基づく第二ユーザの名刺データを作成する（第二の名刺データ作成手段）。名刺データ作成手段６４は、第一携帯端末２の第一ユーザに対応して作成する名刺データを変更する。
【０１０９】
プロフィール情報表示手段６５は、第二携帯端末３に第一ユーザのプロフィール情報として名刺データ作成手段６４（第一の名刺データ作成手段）によって作成された名刺データを表示する。また、プロフィール情報表示手段６５は、第一携帯端末２に第二ユーザのプロフィール情報として名刺データ作成手段６４（第二の名刺データ作成手段）によって作成された名刺データを表示する。
【０１１０】
＜動作手順＞
続いて、図１１を参照して当該情報交換システム６１の動作手順について説明する。なお、図１１では、第一携帯端末２の第一ユーザのプロフィール情報を第二携帯端末３に表示する場合について説明するが、第二携帯端末３の第二ユーザのプロフィール情報を第一携帯端末２に表示する場合の手順も同様である。また、当該情報交換システム６１では、第二ユーザについても第一ユーザと同様のログイン手順を踏むが、以下の説明では第二ユーザのログイン手順についての説明は省略する。
【０１１１】
個体識別情報送信ステップ（Ｓ２１）は、第一携帯端末２の個体識別情報を第一携帯端末２からサーバ６２に送信するステップである。Ｓ２１は、Ｓ１と同様の手順で行われる。
【０１１２】
個体識別情報受信ステップ（Ｓ２２）は、Ｓ２１で送信される第一携帯端末２の個体識別情報をサーバ６２が受信することで行われる。
【０１１３】
ログインステップ（Ｓ２３）は、第一携帯端末２からの要求に基づいて第一ユーザのログイン処理を行う。Ｓ２３は、ログイン手段２１によって行われる。Ｓ２３は、Ｓ３と同様の手順で行われる。
【０１１４】
個体識別情報記憶ステップ（Ｓ２４）は、第一携帯端末２からの要求に基づいて第一携帯端末２の個体識別情報を記憶部２０に記憶する。Ｓ２４は、個体識別情報記憶手段２２によって行われる。Ｓ２４は、Ｓ４と同様の手順で行われる。
【０１１５】
プロフィール情報記憶ステップ（Ｓ２５）は、第一携帯端末２からの要求に基づいて第一ユーザのプロフィール情報をＳ２４で記憶された第一携帯端末２の個体識別情報に関連付けて記憶する。Ｓ２５は、プロフィール情報記憶手段２３によって行われる。Ｓ２５は、Ｓ５と同様の手順で行われる。
【０１１６】
名刺データ作成ステップ（Ｓ２６）は、Ｓ２５で第一携帯端末２の個体識別情報と関連付けられた第一ユーザのプロフィール情報に基づく第一ユーザの名刺データを作成する（第一の名刺データ作成ステップ）。Ｓ２６は、名刺データ作成手段６４によって行われる。
【０１１７】
以下、図１２及び図１３を参照してＳ２６で作成される名刺データについて説明する。
【０１１８】
図１２の名刺データ表示画面７１は、図６のプロフィール情報作成画面３４の入力内容に対応して作成される画面である。名刺データ表示画面７１で表示される名刺データは、プロフィール情報作成画面３４で入力され、登録ボタン３５が押下されることに基づいて作成される。
【０１１９】
また、図１３のプロフィール画面７２は、プロフィール情報作成画面３４のプレビューボタン３７を押下することで表示される画面である。プロフィール画面７２は、名刺データ表示ボタン７３を有している。第一携帯端末２の第一ユーザは、プレビューボタン３７を押下してプロフィール画面７２を表示させ、さらに名刺データ表示ボタン７３を押下することで名刺データ表示画面７１を確認することができる。
【０１２０】
さらに、Ｓ２６では、プロフィール情報作成画面３４の入力内容に対して複数の名刺データを作成及び記憶しておき、各名刺データを情報交換する第二ユーザに応じて変更してもよい。このような方法としては、例えば、情報交換する第二ユーザをグループ分けし、このグループ毎に名刺データを変更する方法が挙げられる。
【０１２１】
プロフィール交換データ作成ステップ（Ｓ２７）は、第一携帯端末２から超音波信号により発信され第二携帯端末３によって受信された第一携帯端末２の個体識別情報に基づいて、Ｓ２５及び／又はＳ２６で第一携帯端末２の個体識別情報と関連付けられた第一ユーザのプロフィール情報を第二携帯端末３の第二ユーザに閲覧させるためのプロフィール交換データを作成する。Ｓ２７は、プロフィール交換データ作成手段２４によって行われる。Ｓ２７は、Ｓ６と同様の手順で行われる。
【０１２２】
プロフィール情報表示ステップ（Ｓ２８）は、Ｓ２７で作成されたプロフィール交換データに基づいて、第一ユーザのプロフィール情報を第二携帯端末３に表示する。Ｓ２８は、プロフィール情報表示手段６５によって行われる。Ｓ２８は、第二携帯端末３に第一ユーザのプロフィール情報としてＳ２６で作成された名刺データ（名刺データ表示画面７１）を表示する。また、Ｓ２８では、Ｓ２６で作成された名刺データに基づく名刺データ表示画面７１と共に、プロフィール画面７２を第二携帯端末３に表示してもよい。第二携帯端末３に名刺データ表示画面７１及びプロフィール画面７２を表示する方法としては、例えば、第二携帯端末３の表示部１４にプロフィール画面７２を表示させ、プロフィール画面７２において第二ユーザが名刺データ表示ボタン７３を押下することで名刺データ表示画面７１を表示する方法が挙げられる。当該情報交換システム６１は、このように第二携帯端末３にプロフィール画面７２における入力及び送信操作に基づいて名刺データ表示画面７１を表示することによって、情報交換をした全第二ユーザに対して共通のプロフィール情報を送りつつ、各第二ユーザとの関係等を考慮した個別の名刺データを提供することができる。なお、Ｓ２８は、例えばＳ２７でプロフィール交換データが作成された際に第二携帯端末３の表示部１４にプロフィール画面７２を表示してもよく、また第二携帯端末３のメニュー画面（図示せず）における入力及び送信操作に基づいて第二携帯端末３の表示部１４にプロフィール画面７２を表示してもよい。
【０１２３】
コメント追加ステップ（Ｓ２９）は、Ｓ２８で第一ユーザのプロフィール情報が表示された第二携帯端末３の入力及び送信操作に起因して、第一ユーザのプロフィール情報に第二ユーザのコメントを追加する。Ｓ２９は、コメント追加手段２７によって行われる。Ｓ２９は、名刺データ表示画面７１又はプロフィール画面７２に所定のコメントを入力することで行われる。また、Ｓ２９で入力されたコメントは、閲覧制限手段２８によって、第二ユーザのみ閲覧可能に構成される。具体的には、Ｓ２９で入力されたコメントは、第二ユーザのログイン時のみに表示される。
【０１２４】
プロフィール情報更新ステップ（Ｓ３０）は、第一携帯端末２の入力及び送信操作に起因して、第二携帯端末３に表示される第一ユーザのプロフィール情報を更新する。Ｓ３０は、プロフィール情報更新手段２６によって行われる。Ｓ３０は、Ｓ９と同様の手順で行われる。
【０１２５】
＜利点＞
当該情報交換システム６１は、第一ユーザのプロフィール情報に基づく第一ユーザの名刺データを作成し、この名刺データを第二携帯端末に表示することができるので、第二携帯端末３に第一ユーザの名刺情報を好適に表示することができる。当該情報交換システムは６１、例えば上記名刺データを従来の紙製名刺と同じようなレイアウトに構成することで、ビジネス、プライベート等を問わず好適に名刺情報を交換することができる。
【０１２６】
当該情報交換システム６１は、第二携帯端末３の第二ユーザに対応して名刺データを変更することができるので、プロフィール情報を交換した相手に応じた名刺情報を提供することができる。
【０１２７】
［その他の実施形態］
なお、本発明の情報交換システム、情報交換方法及びプログラムは、上記態様の他、種々の変更、改良を施した態様で実施することができる。例えば、上記各実施形態の構成は適宜組み合わせて用いることができる。また、第一携帯端末及び第二携帯端末の個体識別情報としては、例えば端末ＩＤや非接触ＩＣチップＩＤが挙げられる。当該情報交換システムは、かかる端末ＩＤと非接触ＩＣチップＩＤとを組み合わせてプロフィール交換データを作成してもよい。
【産業上の利用可能性】
【０１２８】
以上のように、本発明の情報交換システム、情報交換方法及びプログラムは、特定のハードウェアに依存せず、かつスムーズに名刺交換を行うことができるとともに、名刺の不足、紛失及び保管スペースの増加等を防止することができ、従来の紙製名刺の交換方法に代えて好適に用いられる。
【符号の説明】
【０１２９】
１  情報交換システム
２  第一携帯端末
３  第二携帯端末
４  サーバ
５  通信ネットワーク
６  通信部
７  入力部
８  表示部
９  制御部
１０  記憶部
１１  通信制御手段
１２  通信部
１３  入力部
１４  表示部
１５  制御部
１６  記憶部
１７  通信制御手段
１８  通信部
１９  制御部
２０  記憶部
２１  ログイン手段
２２  個体識別情報記憶手段
２３  プロフィール情報記憶手段
２４  プロフィール交換データ作成手段
２５  プロフィール情報表示手段
２６  プロフィール情報更新手段
２７  コメント追加手段
２８  閲覧制限手段
３１  第一ログイン画面
３２  第二ログイン画面
３３  第三ログイン画面
３４  プロフィール情報作成画面
３５  登録ボタン
３６  保存ボタン
３７  プレビューボタン
３８  プロフィール画面
４１  情報交換システム
４２  超音波送信装置
４３  サーバ
４４  通信部
４５  制御部
４６  記憶部
４７  通信制御手段
４８  超音波制御手段
４９  制御部
５０  超音波送信装置登録手段
５１  プロフィール交換データ作成手段
５２  プロフィール情報表示手段
６１  情報交換システム
６２  サーバ
６３  制御部
６４  名刺データ作成手段
６５  プロフィール情報表示手段
７１  名刺データ表示画面
７２  プロフィール画面
７３  名刺データ表示ボタン
【図１】
0005992879.tif 000002
【図２】
0005992879.tif 000003
【図３】
0005992879.tif 000004
【図４】
0005992879.tif 000005
【図５】
0005992879.tif 000006
【図６】
0005992879.tif 000007
【図７】
0005992879.tif 000008
【図８】
0005992879.tif 000009
【図９】
0005992879.tif 000010
【図１０】
0005992879.tif 000011
【図１１】
0005992879.tif 000012
【図１２】
0005992879.tif 000013
【図１３】
0005992879.tif 000014